(57)【要約】【課題】  エンジンのアイドリングストップ機構付き車両において、アイドリングストップ解除時に、エンジンの再始動に関する運転者の意識付けを良好に行わせるための車室内環境を実現する。【解決手段】  車両の停車時にエンジンを一時的に停止させるアイドリングストップ制御部６１と、空調ユニット１０と、空調制御ユニット７０とを備えた構成において、車室内に香りを送出する香り送出ユニット３０と、香り制御部７４とを備え、前記アイドリングストップ制御部６１によるエンジンの停止中、前記香り送出ユニット３０により車室内に香りを送出すると共に、アイドリングストップが解除されたときに、前記香り制御部７４により、車室内に送出する香りの種類、香りの強さ及び香りの送出速度のうちの少なくとも１つを変化させる。【選択図】  図６
2013203358.tif 000002
【特許請求の範囲】
【請求項１】
車両が停車状態にあるときにエンジンを一時的に停止させると共に所定の条件が成立したときにエンジンを再始動させるアイドリングストップ制御手段を備えた車両の空調装置であって、
前記アイドリングストップ制御手段によりエンジンが停止されたときに、空調モードを送風モードとする空調制御手段と、
車室内に香りを送出する香り送出手段と、
前記アイドリングストップ制御手段によるエンジン停止中の所定の期間、前記香り送出手段によって車室内に香りを送出させる香り制御手段とを有し、
該香り制御手段は、前記アイドリングストップ制御手段によりエンジンが再始動されるときに、車室内に送出する香りの種類、香りの強さ、及び香りの送出速度のうちの少なくとも１つを変化させることを特徴とするアイドリングストップ制御手段を備えた車両の空調装置。
【請求項２】
前記香り送出手段は、エンジン停止中に車室内に送出する香りの他に、覚醒作用を有する香りの送出が可能とされ、
前記香り制御手段は、前記アイドリングストップ制御手段によりエンジンが再始動されるときに、車室内に送出させる香りをエンジン停止中に送出していた香りから前記覚醒作用を有する香りに種類を変更することを特徴とするアイドリングストップ制御手段を備えた車両の空調装置。
【発明の詳細な説明】
【技術分野】
【０００１】
本発明は、アイドリングストップ機構付き車両の空調装置、特にエンジンのアイドリングストップ時における車室内環境の制御に関し、車両の空調技術の分野に属する。
【背景技術】
【０００２】
近年、燃費性能向上のため、エンジンの燃焼改善や車体の軽量化などと共に、停車時に所定の条件の下でエンジンを自動停止させるアイドリングストップ機構を搭載した車両が実用化されているが、アイドリングストップ中は、エンジンの停止に伴って発電機も停止するためにバッテリが充電されず、そのため、電力の使用を抑制する必要性が生じる。
【０００３】
そこで、アイドリングストップ中は、空調装置のコンプレッサを停止させるなどにより、空調モードを電力消費量の大きい冷房モードや暖房モードから、ファンのみが作動する電力消費量の小さい送風モードに切り換えるように制御する場合がある。
【０００４】
しかし、空調モードを冷房モードから送風モードに切り換えたときは、アイドリングストップ中、冷房が止まって車室内温度が次第に上昇し、暖房モードから送風モードに切り換えたときは、アイドリングストップ中、暖房が止まって車室内温度が次第に低下し、いずれの場合も車室内の快適性が損なわれ、乗員に不快感を与えるおそれがある。
【０００５】
このような問題に対し、アイドリングストップに伴う冷暖房の停止中、空調装置を用い、例えば乗員に涼感又は暖感を与えて不快感を抑制する作用を有する香りを車室内に送出し、これにより、冷房停止中における車室内温度の上昇又は暖房停止中における車室内温度の低下による不快感を緩和、抑制することが考えられる。
【０００６】
なお、車室内の環境に関するものとして、特許文献１には、車室内に帯電微粒子水を放出して、乗員の髪質改善や肌の保湿を図るようにしたものが開示されており、特許文献２には、車両運転中おける運転者の眠気を覚ますために車室内に覚醒効果を有する香りを放出するようにしたものが開示されている。
【先行技術文献】
【特許文献】
【０００７】
【特許文献１】特開２０１０−７６５９１号公報
【特許文献２】特開平０８−３１８７３２号公報
【発明の概要】
【発明が解決しようとする課題】
【０００８】
ところで、上記のように、アイドリングストップに伴う冷暖房の停止中、車室内に香りを送出して車室内温度の上昇又は低下による不快感を緩和、抑制するように図っても、アイドリングストップを解除してエンジンを再始動する際、その再始動についての運転者への意識付けに関し、車室内環境をどのように設定するのが望ましいかという課題が残る。
【０００９】
なお、前記特許文献１、２に開示されたものは、いずれも空調装置を用いて車室内環境を所定の状態に制御しようとするものであるが、これらの技術は、いずれもエンジンのアイドリングストップが解除されたときの車室内環境に関するものではなく、前記課題を解決することはできない。
【課題を解決するための手段】
【００１０】
本発明に係るアイドリングストップ機構付き車両の空調装置は、前記課題を解決するため、次のように構成したことを特徴とする。
【００１１】
まず、本願の請求項１に記載の発明は、
車両が停車状態にあるときにエンジンを一時的に停止させると共に所定の条件が成立したときにエンジンを再始動させるアイドリングストップ制御手段を備えた車両の空調装置であって、
前記アイドリングストップ制御手段によりエンジンが停止されたときに、空調モードを送風モードとする空調制御手段と、
車室内に香りを送出する香り送出手段と、
前記アイドリングストップ制御手段によるエンジン停止中の所定の期間、前記香り送出手段によって車室内に香りを送出させる香り制御手段とを有し、
該香り制御手段は、前記アイドリングストップ制御手段によりエンジンが再始動されるときに、車室内に送出する香りの種類、香りの強さ、及び香りの送出速度のうちの少なくとも１つを変化させることを特徴とする。
【００１２】
ここで、香りの強さを変化させる態様には、香りの素となる液の濃度を変更する場合や、該液の噴霧量を多くする場合などが含まれる。また、香りの送出速度は、例えば空調装置の送風量によって変化させることができる。
【００１３】
請求項２に記載の発明は、前記請求項１に記載の発明において、
前記香り送出手段は、エンジン停止中に車室内に送出する香りの他に、覚醒作用を有する香りの送出が可能とされ、
前記香り制御手段は、前記アイドリングストップ制御手段によりエンジンが再始動されるときに、車室内に送出させる香りをエンジン停止中に送出していた香りから前記覚醒作用を有する香りに種類を変更することを特徴とする。
【発明の効果】
【００１４】
以上の構成により、本願各請求項の発明によれば、次の効果が得られる。
【００１５】
まず、請求項１に記載の発明によれば、アイドリングストップ手段によるエンジンの停止中の所定の期間、香り送出手段が作動して車室内に香りが送出され、これにより、アイドリングストップ中、良好な車室内環境が形成、維持されることになる。
【００１６】
そして、アイドリングストップが解除され、エンジンが再始動するときには、車室内に送出される香りの種類、香りの強さ、及び香りの送出速度のうちの少なくとも１つが、エンジン停止中の状態から変化するので、例えば、車両の発進操作が検出されてエンジンが再始動するときには、運転者にエンジンの再始動を意識付けて、運転再開のための集中力の向上を促すことができる。
【００１７】
また、例えば、エンジン停止中、冷房や暖房を停止して送風モードとしていた場合において、車室内温度の上昇や低下が所定の状態に達して再び冷房や暖房を開始するためにエンジンを再始動する場合には、乗員にエンジンが再始動することや、冷房又は暖房が再開されることを認識させることが可能となる。
【００１８】
その場合に、請求項２に記載の発明によれば、エンジンが再始動するときに、車室内に覚醒作用を有する香りが送出されるから、運転者にエンジンの再始動を明確に意識付けすることができ、前記効果がより効果的に達成されることになる。
【図面の簡単な説明】
【００１９】
【図１】本発明の実施形態が適用される車両のインストルメントパネルを示す斜視図である。
【図２】同実施形態における空調ユニットの構造を示す断面図である。
【図３】図２のＸ−Ｘ線で切断した香り送出ユニットの断面図である。
【図４】図３のＹ−Ｙ線で切断した香り送出ユニットの断面図である。
【図５】香り送出ユニットにおける香り液タンクの断面図である。
【図６】アイドリングストップ制御及び香り送出制御を行うシステムのブロック図である。
【図７】香り送出制御の第１制御例の動作を示すフローチャートである。
【図８】同制御例の暖房停止時の動作を示すフローチャートである。
【図９】同制御例の動作を示すタイムチャートである。
【図１０】香り送出制御の第２制御例の要部の動作を示すフローチャートである。
【図１１】同制御例の動作を示すタイムチャートである。
【図１２】本発明の他の実施形態に係る香り送出ユニットの断面図である。
【図１３】香り送出制御で用いられる精油の例を示すリストである。
【発明を実施するための形態】
【００２０】
以下、本発明に係る空調装置の実施形態について説明する。
【００２１】
図１は、本実施形態の空調装置が備えられた車両の前席前方のインストルメントパネルを示すもので、該インストルメントパネル１には、幅方向の一方側にステアリングホイール２が、中央部にオーディオ操作部３が備えられ、また、インストルメントパネル１の中央部下方のコンソール部４には変速機操作部５が配設されている。
【００２２】
また、インストルメントパネル１の内部（車両前方側）には、空調ユニット１０（図２参照）が配置され、この空調ユニット１０で生成された空調エアを車室内に送出する送出口として、インストルメントパネル１の前端部に設けられて空調エアをフロントガラスに向けて送出するデフロスタ６と、インストルメントパネル１の正面（後面）の左右両側部及び中央部に設けられて空調エアを乗員に向けて送出する複数のベンチレータ７と、インストルメントパネル１の下部に設けられて空調エアを乗員の足元に送出するフットエア送出口（図示せず）とが設けられている。
【００２３】
前記空調ユニット１０は、図２に示すように、ブロアファン１１の作動により車室外又は車室内から取り入れた空気を、エバポレータ１２で冷却し或いはヒータコア１３で暖めて所要の温度及び湿度の空調エアを生成するものであり、エアミックスドア１４の作動位置により、エバポレータ１２で冷却されたエアが直接又はヒータコア１３で温められた上で導入されるエアミックス室１５を有する。
【００２４】
また、このエアミックス室１５から前記デフロスタ６に通じるデフロスタダクト１６と、前記ベンチレータ７に通じるベンチレータダクト１７と、前記フットエア送出口に通じるフットエアダクト１８とが設けられ、これらのダクト１６、１７、１８への空調エアの供給、非供給をそれぞれ切り換えるデフロスタドア２１、ベンチレータドア２２及びフットドア２３が備えられている。
【００２５】
そして、前記エバポレータ１２には、コンプレッサにより冷媒が供給され、ヒータコア１３には、冷却水ポンプにより高温となったエンジン冷却水が供給され、このエバポレータ１２への冷媒の供給、ヒータコア１３への高温のエンジン冷却水の供給、及び、エアミックスドア１４の作動位置の制御等により、空調ユニット１０の空調モードとして、ブロアファン１１からのエアを冷やしてエアミックス室１５に導入する冷房モード、該エアを暖めてエアミックス室１５に導入する暖房モード、及び、エアを冷やしたり暖めたりすることなくエアミックス室１５に導入する送風モードの切り換えが可能とされている。また、前記デフロスタドア２１、ベンチレータドア２２及びフットドア２３の作動位置の切り換え制御により、車室内への空調エアの吹き出しモードの選択が可能とされている。
【００２６】
なお、前記コンプレッサ及び冷却水ポンプはモータにより駆動され、したがって、冷房モードや暖房モードでは、ブロアファン１１のみが作動する送風モードに比べて、バッテリの電力消費量が多くなる。
【００２７】
以上の構成に加えて、この実施形態に係る空調装置は、前記空調ユニット１０におけるベンチレータダクト１７を介して車室内へ香りを送出する香り送出ユニット３０を備えている。
【００２８】
この香り送出ユニット３０は、図３、図４に示すように、ベンチレータダクト１７の側方に設けられたガイド部３１にスライド可能に支持されたスライド台３２と、該スライド台３２をベルト３３を介して前記ガイド部３１上をスライドさせるモータ（図示せず）とを有し、スライド台３２上に、複数の香り液タンク４０…４０が前記ベンチレータダクト１７に沿って一列に載置されている。そして、前記モータによってスライド台３２をスライドさせることにより、前記複数の香り液タンク４０…４０のいずれか１つをベンチレータダクト１７の側壁に設けられた開口部１７ａに対応する噴霧位置Ａに位置させるようになっている。
【００２９】
ここで、前記香り液タンク４０…４０として、この実施形態では、人に涼感を与える作用を有する香りを発生させる香り液を貯留した涼感香り液タンク４０１と、人に暖感を与える作用を有する香りを発生させる香り液を貯留した暖感香り液タンク４０２と、人に覚醒作用を与える覚醒香り液タンク４０３の３個のタンクが備えられている。
【００３０】
これらの香り液タンク４０は、図５に示すように、香り液を貯留するタンク本体４１と、該本体４１の上部のオネジ部４１ａに内面のメネジ部４２ａが着脱可能に螺合されたキャップ４２と、該キャップ４２の上部に一体的に設けられたポンプ４３と、該ポンプ４３のケース４３ａに上下摺動可能に嵌合されたプッシュボタン４４とを有する。
【００３１】
また、前記ポンプ４３のケース４３ａの底面中央からタンク本体４１の底部に向けてストロー部４５が垂下され、該ストロー部４５の内部が、タンク本体４１の底部から前記ポンプ４３のケース４３ａ内に連通する香り液の吸入路４５ａとされている。
【００３２】
前記ポンプ４３は、前記吸入路４５ａのケース４３ａ内への開口部を開閉するボール４３ｂと、前記ブッシュボタン４４に結合されて該ボタン４４の押し下げ操作によりケース４３ａ内の容積を減少させるピストン４３ｃと、該ピストン４３ｃを上方位置、即ちケース４３ａ内の容積が最大となる位置に付勢するスプリング４３ｄとを有し、前記ピストン４３ｃに、ケース４３ａ内をプッシュボタン４４の側面に設けられた噴霧孔４４ａに連通させる香り液の噴出路４３ｅが設けられている。
【００３３】
そして、プッシュボタン４４を押し下げた後、スプリング４３ｄにより前記ピストン４３ｃ及びプッシュボタン４４が上方へ押し上げられるときに、前記吸入路４５ａを通ってタンク本体４１内の香り液がポンプ４３のケース４３ａ内に吸い上げられると共に、ボール４３ｂが吸入路４５ａの開口部を閉鎖することにより香り液がケース４３ａ内に貯留され、次に、プッシュボタン４４をピストン４３ｃと共に押し下げたときに、該ケース４３ａ内に貯留されている香り液が、前記噴出路４３ｅを介してプッシュボタン４４の側面の噴霧孔４４ａから噴霧されるようになっている。
【００３４】
また、図３、図４に示すように、香り送出ユニット３０は、スライド台３２上に一列に載置された香り液タンク４０…４０の上方に設けられた香り液噴霧機構５０を有し、前記インストルメントパネル１に設けられた開口部を閉鎖するカバー１ａの下面に設けられている。
【００３５】
この香り液噴霧機構５０は、前記カバー１ａの下面に取り付けられたモータ５１と、該モータ５１によって駆動されるカム軸５２とを有し、このカム軸５２は、前記香り液タンク４０…４０が並ぶ列方向に延び、先端が前記カバー１ａの下面に設けられた軸受部５３に支持されていると共に、該カム軸５２に、前記香り液タンク４０…４０のうちの噴霧位置Ａにある香り液タンク４０の上方に位置するようにカム５２ａが設けられている。
【００３６】
そして、前記モータ５１によりカム軸５２を回転させれば、前記カム５２ａが噴霧位置Ａにある香り液タンク４０のプッシュボタン４４を押し下げることにより、前述のようにして、該タンク４０に貯留されている香り液が噴霧孔４４ａから、開口部１７ａを通ってベンチレータダクト１７内に噴霧されるようになっている。
【００３７】
一方、この実施形態に係る空調装置は、エンジンのアイドリングストップ実行時及び解除時に、前記空調ユニット１０における空調モードや送風量の制御と共に、前記香り送出ユニット３０を動作させて、車室内への香りの送出制御を行うようになっている。
【００３８】
この香り送出制御は、図６に示すように、エンジンコントロールユニット６０に設けられたアイドリングストップ制御部６１と、空調制御ユニット７０とが協働して行うようになっており、アイドリングストップ制御部６１は、当該車両の車速を検出する車速センサ６２からの信号、エンジン回転数やクランク角度を検出するエンジン回転センサ６３からの信号、ブレーキペダルの踏込み状態を検出するブレーキセンサ６４からの信号等を入力し、例えばブレーキペダルが踏込まれて車速が０となるなどの所定のアイドリングストップ実行条件成立時に、クランク角度を検出しながらエンジン６５を停止させ、また、ブレーキペダルの踏み込みが解除されるなどの所定のアイドリングストップ解除条件成立時に、エンジン６５を再始動させるようになっている。
【００３９】
また、空調制御ユニット７０は、乗員によって操作されるモード設定ボタン７１からの信号、冷暖房モードにおける温度設定ボタン７２からの信号、車室内の温度を検出する温度センサ７３からの信号等を入力し、空調ユニット１０の空調モードや吹き出しモード及び空調エアの温度の制御を行う。
【００４０】
そして、該空調制御ユニット７０には、香り送出制御の中心となる香り制御部７４と、該香り送出制御で必要とされる情報を記憶する記憶部７５とが設けられ、香り制御部７４は、前記エンジンコントロールユニット７０のアイドリングストップ制御部６１からの信号と前記温度センサ７３からの信号とを入力し、アイドリングストップ実行時に、空調ユニット１０の空調モードの制御を行うと共に、香り送出ユニット３０によるベンチレータダクト１７への香り液の噴霧制御、即ち車室内への香り送出制御を行う。
【００４１】
また、香り制御部２４は、所定の条件成立時に、前記アイドリングストップ制御部６１にエンジン６５を再始動させるためのアイドリングストップ解除信号を出力すると共に、エンジン再始動時における香り制御を行うようになっている。
【００４２】
次に、前記香り制御部７４によるアイドリングストップ実行時における香り送出制御の具体的動作を説明する。
【００４３】
まず、図７、図８にフローチャートを示す第１制御例について説明する。
【００４４】
この第１制御例では、まず、ステップＳ１で、空調ユニット１０がＯＮであるか否かを判定し、ＯＮのときは、ステップＳ２で、空調モードが送風モード以外の冷房モード又は暖房モードのいずれかであるか否かを判定する。そして、冷房モード又は暖房モードのいずれかであるときは、ステップＳ３で、その空調モードを記憶部７５に記憶する。
【００４５】
次に、ステップＳ４で、エンジンコントロールユニット６０のアイドリングストップ制御部６１からの信号に基づき、当該車両の停車時において、エンジン６５のアイドリングストップが実行されたか否かを判定する。
【００４６】
そして、アイドリングストップが実行されれば、次に、ステップＳ５、Ｓ６で、前記記憶部７５に記憶した空調モードを読み出すと共に、冷房モードと暖房モードのいずれであるかを判定し、冷房モードのときは、ステップＳ７〜Ｓ１９による冷房停止時の香り送出制御を実行する。
【００４７】
この冷房停止時の香り送出制御では、まず、ステップＳ７で、空調制御ユニット１０の空調モードを冷房モードから送風モードに切り換えて冷房を停止すると共に、ステップＳ８で、アイドリングストップ制御部６１からの信号に基づき、アイドリングストップが解除されたか否かを判定し、解除されていなければ、ステップＳ９で車室内温度Ｔを検出する。
【００４８】
そして、ステップＳ１０で、車室内温度Ｔが冷房停止中の香り送出開始温度ＴＣＳ１まで上昇したか否かを判定し、該温度ＴＣＳ１まで上昇したときに、ステップＳ１１で、涼感作用を有する香りを車室内に送出する制御を実行する。
【００４９】
具体的には、図３、図４に示す香り送出ユニット３０のスライド台３２をスライドさせ、涼感香り液タンク４０１を噴霧位置Ａに移動させると共に、香り液噴霧機構５０のモータ５１を作動させて、カム５２ａにより前記タンク４０１のプッシュボタン４４を押し下げ、涼感作用を有する香り液をベンチレータダクト１７内に噴霧させる。
【００５０】
これにより、図９（ａ）に符号ａで示すように、アイドリングストップが実行されたときに、バッテリの電力消費抑制のために、空調モードが冷房モードから送風モードに切り換えられた後、冷房の停止によって車室内の温度が前記温度ＴＣＳ１まで上昇したときに、涼感作用を有する香りが車室内に送出されることになる。その結果、乗員に涼感が与えられ、車室内の温度が上昇することによる不快感が抑制されて、冷房が止まった後においても車室内の快適性が維持される。
【００５１】
次に、香り制御部７４は、ステップＳ１２で、前記車室内温度Ｔがさらに上昇し、前記温度ＴＣＳ１より高温の冷房停止中の香り送出終了温度ＴＣＥ１まで上昇したか否かを判定する。
【００５２】
この香り送出終了温度ＴＣＥ１は、それ以上温度が上昇すると、涼感作用を有する香りを送出しても車室内の快適性が維持されなくなる可能性がある温度に設定されており、車室内温度Ｔがこの香り送出終了温度ＴＣＥ１に上昇するまでは、送風モードのもとで涼感作用を有する香りを送出する制御を継続する。
【００５３】
そして、図９（ａ）に符号ｂで示すように、車室内温度Ｔが前記香り送出終了温度ＴＣＥ１まで上昇したときは、ステップＳ１３で、アイドリングストップ制御部６１にアイドリングストップを解除してエンジンを再始動させるように信号を出力すると共に、ステップＳ１４で、空調ユニット１０を当初の冷房モードに復帰させる。
【００５４】
これにより、涼感作用を有する香りを送出しても快適性が維持されなくなるおそれがある温度ＴＣＥ１まで車室内温度が上昇したときには再び冷房が開始され、車室内の快適性が引き続き維持されると共に、エンジンが再始動することにより、バッテリ電力で冷房を行うことによる該バッテリ電力の過度な消費が回避される。
【００５５】
また、香り制御部７４は、エンジンを再始動させ、空調モードを冷房モードに復帰させたときに、ステップＳ１５で、香り送出ユニット３０を作動させ、覚醒香り液タンク４０３を噴霧位置Ａに移動させて、覚醒作用を有する香りを車室内に送出させると共に、ステップＳ１６で、空調ユニット１０のブロアファン１１の回転速度を上昇させて送風量を増大させる。
【００５６】
また、前記ステップＳ８で、アイドリングストップ制御部６１からの信号に基づき、
車室内温度Ｔが香り送出開始温度ＴＣＳ１や香り送出終了温度ＴＣＥ１に達する前にアイドリングストップが解除されたことを判定したときも、前記ステップＳ１４〜Ｓ１６を実行し、空調モードを冷房モードに復帰させると共に、覚醒作用を有する香りを車室内に送出させ、かつ、空調ユニット１０の送風量を増大させる。
【００５７】
これにより、車室内に覚醒作用を有する香りが勢いよく送出されることになり、運転者は、車両の発進時には、意識が覚醒されて運転への集中力が高められ、また、車室内温度の上昇によりエンジンが再始動したときは、エンジンが再始動したことと、空調モードが送風モードから冷房モードに復帰されたこととを認識させることが可能となる。
【００５８】
そして、香り制御部７４は、ステップＳ１７でタイマを作動させ、ステップＳ１８で、該タイマ作動開始時から所定時間ｔが経過したことを判定するまでは、前記の覚醒作用を有する香りの送出制御と送風量増大制御とを継続し、所定時間ｔが経過したときに、ステップＳ１９で、これらの制御を終了する。
【００５９】
一方、前記ステップＳ６で、記憶部７５に記憶した空調モードが暖房モードと判定されたときは、図８のステップＳ２０〜Ｓ３２による暖房停止時の香り送出制御を実行する。
【００６０】
この暖房停止時の香り送出制御は、前述の冷房停止時の制御とほぼ同様に行われ、香り制御部７４は、まず、ステップＳ２０で、空調制御ユニット１０を送風モードに切り換えて暖房を停止すると共に、ステップＳ２１で、アイドリングストップ制御部６１からの信号に基づき、アイドリングストップが解除されたか否かを判定し、解除されていなければ、ステップＳ２２で車室内温度Ｔを検出する。
【００６１】
そして、ステップＳ２３で、車室内温度Ｔが暖房停止中の香り送出開始温度ＴＷＳ１まで低下したか否かを判定し、該温度ＴＷＳ１まで低下したときに、ステップＳ２４で、暖感作用を有する香りを車室内に送出する制御を実行する。
【００６２】
この制御は、図３、図４に示す香り送出ユニット３０のスライド台３２をスライドさせ、暖感香り液タンク４０２を噴霧位置Ａに移動させることにより行われる。
【００６３】
これにより、図９（ｂ）に符号ｃで示すように、アイドリングストップが実行されたときに、バッテリの電力消費抑制のために、空調モードが暖房モードから送風モードに切り換えられた後、暖房の停止によって車室内の温度が前記温度ＴＷＳ１まで低下したときに、暖感作用を有する香りが車室内に送出されることになる。その結果、乗員に暖感が与えられ、車室内の温度が低下することによる不快感が抑制されて、暖房が止まった後においても車室内の快適性が維持される。
【００６４】
次に、香り制御部７４は、ステップＳ２５で、前記車室内温度Ｔがさらに低下し、前記温度ＴＷＳ１より低温の暖房停止中の香り送出終了温度ＴＷＥ１まで低下したか否かを判定する。
【００６５】
この香り送出終了温度ＴＷＥ１は、それ以下に温度が低下すると、暖感作用を有する香りを送出しても車室内の快適性が維持されなくなる可能性がある温度に設定されており、車室内温度Ｔがこの香り送出終了温度ＴＷＥ１に上昇するまでは、送風モードのもとで暖感作用を有する香りを送出する制御を継続する。
【００６６】
そして、図９（ｂ）に符号ｄで示すように、車室内温度Ｔが前記香り送出終了温度ＴＷＥ１まで低下したときは、ステップＳ２６で、アイドリングストップ制御部６１にアイドリングストップを解除してエンジンを再始動させるように信号を出力すると共に、ステップＳ２７で、空調ユニット１０を当初の暖房モードに復帰させる。
【００６７】
これにより、暖感作用を有する香りを送出しても快適性が維持されなくなるおそれがある温度ＴＷＥ１まで車室内温度が低下したときには再び暖房が開始され、車室内の快適性が引き続き維持されると共に、エンジンが再始動することにより、バッテリ電力で暖房を行うことによる該バッテリ電力の過度な消費が回避される。
【００６８】
また、香り制御部７４は、エンジンを再始動させ、空調モードを暖房モードに復帰させたときに、ステップＳ２８で、覚醒作用を有する香りを車室内に送出させると共に、ステップＳ２９で、空調ユニット１０のブロアファン１１の回転速度を上昇させて送風量を増大させる。
【００６９】
また、前記ステップＳ２１で、アイドリングストップ制御部６１からの信号に基づき、
車室内温度Ｔが香り送出開始温度ＴＷＳ１や香り送出終了温度ＴＷＥ１に達する前にアイドリングストップが解除されたことを判定したときも、前記ステップＳ２７〜Ｓ２９を実行し、空調モードを暖房モードに復帰させると共に、覚醒作用を有する香りを車室内に送出させる制御と、空調ユニット１０の送風量を増大させる制御とを行う。
【００７０】
これにより、冷房停止時のエンジン再始動時と同様、車室内に覚醒作用を有する香りが勢いよく送出されることになり、運転者は、車両の発進時には、意識が覚醒されて運転への集中力が高められ、また、車室内温度の低下によりエンジンが再始動したときは、エンジンが再始動したことと、空調モードが送風モードから暖房モードに復帰されたこととを認識させることが可能となる。
【００７１】
そして、香り制御部７４は、ステップＳ３０でタイマを作動させ、ステップＳ３１で、該タイマ作動開始時から所定時間が経過したことを判定するまでは、前記の覚醒作用を有する香りの送出制御と送風量増大制御とを継続し、所定時間が経過したときに、ステップＳ３２で、これらの制御を終了する。
【００７２】
次に、図１０にフローチャートを示す第２制御例について説明する。
【００７３】
この第２制御例においては、アイドリングストップ解除時における空調モードの送風モードから冷房モード又は暖房モードへの復帰制御、覚醒作用を有する香りの送出制御及び送風量増大制御は、前記第１制御例と同様に行われる。つまり、第１制御例におけるステップＳ１〜Ｓ１６、Ｓ２０〜Ｓ２９は、第２実施例においても同様に実行される。
【００７４】
一方、この第２制御例では、ステップＳ１５、Ｓ１６で、エンジン再始動時に、冷房モードへの復帰と共に、前記覚醒作用を有する香りの送出制御と送風量増大制御とを実行したときは、次にステップＳ１７’で、車室内温度Ｔを検出し、ステップＳ１８’で、この温度Ｔが冷房の再開により涼感香り送出開始温度ＴＣＳ２まで低下したか否かを判定する。
【００７５】
そして、車室内温度Ｔが前記涼感香り送出開始温度ＴＣＳ２に低下するまでは、前記の覚醒作用を有する香りの送出制御と送風量増大制御とを継続すると共に、図１１（ａ）に符号ｅで示すように、車室内温度Ｔが涼感香り送出開始温度ＴＣＳ２まで低下したことを判定したときに、ステップＳ１９で、前記覚醒作用を有する香りの送出制御と送風量増大制御とを終了する。
【００７６】
また、ステップＳ２８、Ｓ２９で、エンジン再始動時に、暖房モードへの復帰と共に、前記覚醒作用を有する香りの送出制御と送風量増大制御とを実行したときは、次にステップＳ３０’で、車室内温度Ｔを検出する共に、ステップＳ３１’この温度Ｔが暖房の再開により暖感香り送出開始温度ＴＷＳ２まで上昇したか否かを判定する。
【００７７】
そして、車室内温度Ｔが前記暖感香り送出開始温度ＴＷＳ２に上昇するまでは、前記の覚醒作用を有する香りの送出制御と送風量増大制御とを継続すると共に、図１１（ｂ）に符号ｆで示すように、車室内温度Ｔが暖感香り送出開始温度ＴＷＳ２まで上昇したことを判定したときに、ステップＳ３２で、前記覚醒作用を有する香りの送出制御と送風量増大制御とを終了する。
【００７８】
したがって、この第２制御例によっても、エンジンが再始動したときに、車両の発進時には、運転者の意識が覚醒されて運転への集中力が高められ、また、車室内温度の上昇又は低下によりエンジンが再始動したときは、エンジンが再始動したことと、空調モードが送風モードから冷房モード又は暖房モードに復帰されたこととを認識させることが可能となる。
【００７９】
ここで、前記覚醒作用を有する香りの送出制御と送風量増大制御とを終了する際の車室内温度としては、前記の冷房停止中における涼感香り送出開始温度ＴＣＳ２又は暖房停止中における暖感香り送出開始温度ＴＷＳ２に限らず、覚醒作用を有する香りの送出等により前述の効果が達成されたと考えられる温度であればよい。
【００８０】
また、以上の制御例では、エンジン再始動時に、覚醒作用を有する香りの送出制御と送風量増大制御とを行うようにしたが、運転者の集中力を高めるなどのためにいずれか一方の制御だけで足りる場合は、いずれか一方の制御だけを行うようにしてもよい。
【００８１】
また、香りの送出を、冷房停止中又は暖房停止中に車室内温度が所定の香り送出開始温度ＴＣＳ１、ＴＣＳ２、ＴＷＳ１、ＴＷＳ２に達したときに開始するようにしたが、アイドリングストップが実行されて、空調モードが冷房モード又は暖房モードから送風モードに切り換えられた時点から、香り送出制御を開始してもよい。
【００８２】
また、アイドリングストップ中における香りの送出開始、送出終了を車室内温度Ｔによって制御したが、空調モードが送風モードに切り換えられた時点からの温度の上昇量又は低下量に基づいて制御してもよい。
【００８３】
さらに、以上の制御例は、空調モードが冷房モード又は暖房モードの状態でアイドリングストップが実行された場合のものであるが、空調モードが送風モードの状態でアイドリングストップが実行された場合は、その状態を維持することになり、空調装置１０がＯＦＦの状態でアイドリングストップが実行された場合は、該空調装置１０をＯＮにした上で、空調モードを送風モードに設定することになる。
【００８４】
また、図１２に示すように、香り送出ユニット３０’に、涼感香り液タンク４０１と暖感香り液タンク４０２のほかに、高濃度涼感香り液タンク４０４と高濃度暖感香り液タンク４０５とを備えておき、エンジンの再始動時に、覚醒作用を有する香りの送出に代え、冷房再開時には、高濃度涼感香り液を噴霧することにより冷房停止中よりも涼感作用を強め、暖房再開時には、高濃度暖感香り液を噴霧することにより暖房停止中よりも暖感作用を強め、これにより、運転者の集中力の向上等を図るようにしてもよい。
【００８５】
また、噴霧する涼感香り液及び暖感香り液の濃度を高くすることに代え、或は濃度を高くすると共に、これらの液の噴霧量を増大させてもよく、その場合に、送風量の増大制御を併用して、涼感作用や暖感作用をさらに強めるようしてもよい。
【００８６】
なお、本発明において用いられる涼感作用する香り、暖感作用を有する香り、及び覚醒作用を有する香りとしては、例えば図１３に示すような精油を有効成分として配合した香料組成物を用いることができる。
【産業上の利用可能性】
【００８７】
以上のように、本発明によれば、エンジンのアイドリングストップ実行中及び解除時に、車室内環境を適切に制御することが可能となり、したがって、エンジンのアイドリングストップ機能を備えた車両の製造産業分野において、好適に利用される可能性がある。
【符号の説明】
【００８８】
１０    空調ユニット
３０    香り送出ユニット（香り送出手段）
６１    アイドリングストップ制御部（アイドリングストップ制御手段）
７０    空調制御ユニット（空調制御手段）
７４    香り制御部（香り制御手段）
【図１】
2013203358.tif 000003
【図２】
2013203358.tif 000004
【図３】
2013203358.tif 000005
【図４】
2013203358.tif 000006
【図５】
2013203358.tif 000007
【図６】
2013203358.tif 000008
【図７】
2013203358.tif 000009
【図８】
2013203358.tif 000010
【図９】
2013203358.tif 000011
【図１０】
2013203358.tif 000012
【図１１】
2013203358.tif 000013
【図１２】
2013203358.tif 000014
【図１３】
2013203358.tif 000015